(57)【要約】【課題】外部から関連する位置情報が取得されていない画像についても位置情報があるものとしてデータの後処理を迅速かつ簡潔に行うことが可能な撮像装置及び撮像方法を提供すること。【解決手段】被写体が撮像された画像の画像データに関連付けて画像データの撮影位置に関する位置情報が書込み可能なメタデータを生成するデータ生成部１１４と、画像データ及びメタデータが記憶される記憶部１０６と、画像データに関連した位置情報を取得する位置情報取得部１２０と、任意の位置情報又は取得された位置情報を画像データの位置情報としてメタデータに書込む位置情報書込み部１１５とを備えることを特徴とする。【選択図】図１
2009065482.tif 000002
【特許請求の範囲】
【請求項１】
被写体が撮像された画像の画像データに関連付けて前記画像データの撮影位置に関する位置情報が書込み可能なメタデータを生成するデータ生成部と、
前記画像データ及び前記メタデータが記憶される記憶部と、
前記画像データに関連した位置情報を取得する位置情報取得部と、
任意の位置情報又は前記取得された位置情報を前記画像データの前記位置情報として前記メタデータに書込む位置情報書込み部と、
を備えることを特徴とする、撮像装置。
【請求項２】
前記位置情報書込み部は、前記任意の位置情報を書込み処理した後、前記位置情報取得部によって前記位置情報が取得されたとき、前記任意の位置情報から換えて前記取得された位置情報を前記メタデータに書込むことを特徴とする、請求項１に記載の撮像装置。
【請求項３】
前記位置情報書込み部は、前記画像データに関連した位置情報が取得されなかったとき、前記任意の位置情報を前記メタデータに書込むことを特徴とする、請求項１に記載の撮像装置。
【請求項４】
前記被写体の撮影位置に応じて基準時刻を設定する基準時刻設定部を備え、
前記任意の位置情報は、前記基準時刻に基づいて定められる位置に関する位置情報であることを特徴とする、請求項１に記載の撮像装置。
【請求項５】
前記任意の位置情報は、利用者によって任意に選択される位置に関する位置情報であることを特徴とする、請求項１に記載の撮像装置。
【請求項６】
前記画像データ及び前記メタデータが前記記憶部に記憶される前に、複数の前記位置情報と前記複数の位置情報の記録時刻とを含む移動経路情報を記憶する領域を前記記憶部に予め確保する領域確保部と、
前記移動経路情報を取得する移動経路情報取得部と、
を備え、
前記記憶部には、前記領域確保部によって確保された領域に前記移動経路情報が記憶されることを特徴とする、請求項１に記載の撮像装置。
【請求項７】
前記領域確保部によって確保された領域に基づいて、前記画像データ及び前記メタデータの前記記憶部への記憶量を制限するデータ書込み制限部を備えることを特徴とする、請求項６に記載の撮像装置。
【請求項８】
前記位置情報取得部は、前記移動経路情報の位置情報の記録時刻と前記画像データの記録時刻とに基づいて、前記画像データに関連した位置情報を取得することを特徴とする、請求項６に記載の撮像装置。
【請求項９】
前記領域確保部は、表示装置に前記画像データの画像と前記移動経路情報の移動経路とを組み合わせて表示させるための表示定義ファイルを記憶する領域を前記記憶部に予め確保することを特徴とする、請求項６に記載の撮像装置。
【請求項１０】
前記表示定義ファイルは、ＨＴＭＬ形式、ＫＭＬ形式又はＫＭＺ形式のファイルであることを特徴とする、請求項９に記載の撮像装置。
【請求項１１】
被写体が撮像された画像の画像データに関連付けて前記画像データの撮影位置に関する位置情報が書込み可能なメタデータを生成するステップと、
前記画像データ及び前記メタデータが記憶されるステップと、
前記画像データに関連した位置情報を取得するステップと、
任意の位置情報又は前記取得された位置情報を前記画像データの前記位置情報として前記メタデータに書込むステップと、
を含むことを特徴とする、撮像方法。
【発明の詳細な説明】
【技術分野】
【０００１】
本発明は、撮像装置及び撮像方法に関する。
【背景技術】
【０００２】
撮像装置、例えばデジタルカメラや携帯電話に内蔵されたカメラ等には、ＧＰＳ等による位置情報取得装置から位置情報を取得できるものがある。この撮像装置は、被写体の撮影と共に位置情報を取得し、ＥＸＩＦ形式ファイルなどの画像ファイルのヘッダに位置情報を付加して、位置情報を含む画像ファイルを記憶媒体に記憶する。
【０００３】
例えば、特許文献１では、画像ファイルを記憶するとき、画像ファイルのヘッダ領域に予め位置情報のためのメタ領域を確保しておき、撮影後に位置情報をそのメタ領域に書き込む技術が開示されている。特許文献１の技術によれば、撮影時に位置情報取得が完了する前に画像データの保存を行うことができる。そのため、撮像装置は、短時間で連続的に被写体の撮影を行うことができる。また、予めメタ領域が確保されているため、位置情報の書き込み処理は、画像ファイルのファイルサイズに依存しないし、高速に行われる。
【０００４】
【特許文献１】特開２００５−２６０３９３号公報
【発明の開示】
【発明が解決しようとする課題】
【０００５】
ところで、位置情報取得装置が撮像装置とは別に単独の装置として動作するとき、利用者が位置情報取得装置の電源をＯＮにしなかった場合や、位置情報取得装置が位置情報を取得できなかった場合など、位置情報が取得されないが、撮像装置には画像のみが記憶される場合がある。
【０００６】
撮影後、例えば一連の撮影終了後や旅行後等、位置情報を画像ファイルに書き込むため、位置情報取得装置に記録されている位置情報の記録時間と、撮像装置に記録されている画像ファイルの記録時間を比較させる。そして、両者の時間が一致する、又は時間が近似しているとき、位置情報を画像ファイルのメタ領域に書き込んで、位置情報を含む画像ファイルを生成することができる。
【０００７】
しかし、必ずしも位置情報と画像ファイルの記録時間が一致又は近似するとは限らないため、撮像装置に記録された画像ファイルには、位置情報を含まない画像ファイルが生じる場合があった。画像ファイルを位置情報取得装置に取り込む場合や、位置情報と画像ファイルをパーソナルコンピュータに取り込む場合の書き込み処理は、位置情報取得装置やパーソナルコンピュータのアプリケーションの仕様に依存する。そのため、位置情報に記録された時間と一致又は近似しない画像について何の処理も行わない仕様の場合、これらの画像ファイルは位置情報を含まない画像ファイルのままとなった。
【０００８】
その結果、位置情報を含まない画像ファイルは、画像群を地図上にマッピングするアプリケーションに読み込まれたとき、マッピングされるべき位置が不明であるため、例えば画像が存在しないものとして全く扱われない場合があった。その場合、利用者は、位置情報を任意に設定できるアプリケーションを探すなどして、再度位置情報を設定する作業を行う必要があった。また、位置情報が書き込まれていない画像は、記憶されていること自体がなかったこととして忘れ去られてしまう可能性があった。
【０００９】
そこで、本発明は、上記問題に鑑みてなされたものであり、本発明の目的とするところは、外部から関連する位置情報が取得されていない画像についても位置情報があるものとしてデータの後処理を迅速かつ簡潔に行うことが可能な、新規かつ改良された撮像装置及び撮像方法を提供することにある。
【課題を解決するための手段】
【００１０】
上記課題を解決するために、本発明のある観点によれば、被写体が撮像された画像の画像データに関連付けて画像データの撮影位置に関する位置情報が書込み可能なメタデータを生成するデータ生成部と、画像データ及びメタデータが記憶される記憶部と、画像データに関連した位置情報を取得する位置情報取得部と、任意の位置情報又は取得された位置情報を画像データの位置情報としてメタデータに書込む位置情報書込み部とを備える撮像装置が提供される。
【００１１】
かかる構成により、データ生成部は、被写体が撮像された画像の画像データに関連付けて画像データの撮影位置に関する位置情報が書込み可能なメタデータを生成し、記憶部は、画像データ及びメタデータを記憶し、位置情報取得部は、画像データに関連した位置情報を取得し、位置情報書込み部は、任意の位置情報又は取得された位置情報を画像データの位置情報としてメタデータに書込む。
【００１２】
上記位置情報書込み部は、任意の位置情報を書込み処理した後、位置情報取得部によって位置情報が取得されたとき、任意の位置情報から換えて取得された位置情報をメタデータに書込むものであってもよい。
【００１３】
上記位置情報書込み部は、画像データに関連した位置情報が取得されなかったとき、任意の位置情報をメタデータに書込むものであってもよい。
【００１４】
上記被写体の撮影位置に応じて基準時刻を設定する基準時刻設定部を備え、任意の位置情報は、基準時刻に基づいて定められる位置に関する位置情報であってもよい。
【００１５】
上記任意の位置情報は、利用者によって任意に選択される位置に関する位置情報であってもよい。
【００１６】
上記画像データ及びメタデータが記憶部に記憶される前に、複数の位置情報と複数の位置情報の記録時刻とを含む移動経路情報を記憶する領域を記憶部に予め確保する領域確保部と、移動経路情報を取得する移動経路情報取得部とを備え、記憶部には、領域確保部によって確保された領域に移動経路情報が記憶されるものであってもよい。
【００１７】
上記領域確保部によって確保された領域に基づいて、画像データ及びメタデータの記憶部への記憶量を制限するデータ書込み制限部を備えるものであってもよい。
【００１８】
上記位置情報取得部は、移動経路情報の位置情報の記録時刻と画像データの記録時刻とに基づいて、画像データに関連した位置情報を取得するものであってもよい。
【００１９】
上記領域確保部は、表示装置に画像データの画像と移動経路情報の移動経路とを組み合わせて表示させるための表示定義ファイルを記憶する領域を記憶部に予め確保するものであってもよい。上記表示定義ファイルは、ＨＴＭＬ形式、ＫＭＬ形式又はＫＭＺ形式のファイルであってもよい。
【００２０】
また、上記課題を解決するために、本発明の別の観点によれば、被写体が撮像された画像の画像データに関連付けて画像データの撮影位置に関する位置情報が書込み可能なメタデータを生成するステップと、画像データ及びメタデータが記憶されるステップと、画像データに関連した位置情報を取得するステップと、任意の位置情報又は取得された位置情報を画像データの位置情報としてメタデータに書込むステップとを含む撮像方法が提供される。
【発明の効果】
【００２１】
本発明によれば、外部から関連する位置情報が取得されていない画像についても位置情報があるものとしてデータの後処理を迅速かつ簡潔に行うことができる。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
（第１の実施形態の構成）
まず、本発明の第１の実施形態に係る撮像装置１００の構成について説明する。図１は、本実施形態に係る撮像装置１００とＧＰＳ測位装置２００を示すブロック図である。図２は、本実施形態に係る撮像装置１００の制御部１１０を示すブロック図である。
【００２４】
撮像装置１００は、被写体の撮影を行って画像データを取得することができる。撮像装置１００は、例えば静止画を撮影可能なデジタルカメラであってもよいし、動画を撮影可能なビデオカメラであってもよい。撮像装置１００は、ＲＯＭ（Read  Only  Memory）１０２と、ＲＡＭ（Random  Access  Memory）１０４と、記憶部１０６と、制御部１１０と、通信部１２０と、表示部１３０と、アドレス・データパス処理部１４０と、画像処理部１５０と、撮像部１６０を有する。アドレス・データパス処理部１４０は、ＣＰＵバスなどから構成され、上記の各構成要素を相互に接続する。
【００２５】
ＲＯＭ１０２は、制御部１１０が使用するプログラムや演算パラメータ等を記憶する。ＲＡＭ１０４は、制御部１１０の実行において使用するプログラムや、その実行において適宜変化するパラメータ等を一次的に記憶する。
【００２６】
記憶部１０６は、データ格納用の装置であり、記憶媒体と、記憶媒体にデータを記録する記録装置と、記憶媒体からデータを読み出す読出し装置と、記憶媒体に記録されたデータを削除する削除装置などを含むことができる。記憶部１０６は、例えば、フラッシュメモリ、ＨＤＤ（Hard  Disk  Drive）などである。記憶部１０６は、記憶媒体を駆動し、制御部１１０が実行するプログラムや各種データを格納する。また、記憶部１０６には、画像データや、画像データに関するメタデータなどが記憶される。なお、記憶部１０６は、撮像装置１００と着脱可能であってもよい。
【００２７】
制御部１１０は、例えば、ＣＰＵ（Central  Processing  Unit）などのマイクロプロセッサであり、演算処理装置および制御装置として機能し、各種プログラムに従って撮像装置１００内の動作全般を制御する。
【００２８】
制御部１１０は、例えば、領域確保部１１１と、データ書込み制限部１１２と、デフォルト位置生成部１１３と、データ生成部１１４と、位置情報書込み部１１５などの機能ブロックを有する。
【００２９】
領域確保部１１１は、記憶部１０６に画像や動画を記憶する領域とは別に移動経路ログファイル及び表示定義ファイルを記憶する領域を確保する。領域確保部１１１は、画像データ及びメタデータが記憶部１０６に記憶される前に領域の確保を行う。なお、領域確保部１１１は、データ内容が空のファイルを作成して、記憶部１０６の容量を確保してもよい。移動経路ログファイルは、移動経路情報の一例であり、複数の位置情報と、複数の位置情報の記録時刻とを含む。表示定義ファイルは、表示装置に画像データの画像と移動経路ログファイルの移動経路とを組み合わせて表示させるためのデータである。表示定義ファイルは、例えば、ＨＴＭＬ形式、ＫＭＬ形式又はＫＭＺ形式のファイルである。
【００３０】
移動経路ログファイルのデータ容量は次のように予め決定しておくことができる。例えば、５秒毎に移動経路に関するデータが記憶されるとし、１回当たりのデータ容量が１６ｂｙｔｅとすると、１日のデータ上限容量２７０ｋＢｙｔｅ、１０００日程度を上限として３００ＭＢを予め割り当てるように決定してもよい。なお、移動経路ログファイルは、例えば日付毎に複数のファイルに分かれて構成されてもよい。
【００３１】
データ書込み制限部１１２は、領域確保部１１１によって確保された領域に基づいて、画像データ及びメタデータの記憶部１０６への記憶量を制限する。データ書込み制限部１１２は、例えば、記憶部１０６の全容量から領域確保部１１１によって確保された領域の容量を差し引いた容量のみ、画像データ及びメタデータが記憶可能なようにデータの書き込みを制御する。
【００３２】
デフォルト位置生成部１１３は、例えば、基準時刻に基づいて定められる位置の位置情報をデフォルト位置として位置情報を生成する。ここで、基準時刻とは、例えばタイムゾーン毎の時刻であり、基準時刻に基づいて定められる位置とは、例えばＧＭＴ＋９時間のタイムゾーンでは、代表都市の１つの東京などである。そして、基準時刻としてＧＭＴ＋９時間が設定されている場合は、デフォルト位置生成部１１３は、東京をデフォルト位置として位置情報を生成する。
【００３３】
なお、本実施形態では、予めタイムゾーンの設定ごとに代表となる都市を決めておき、その都市に対応する位置情報データベースを保持しておく。そして、基準時刻設定部は、利用者によって撮影が行われる場所に対応した基準時刻（タイムゾーン）が設定される。従って、撮影時に撮影場所である旅行先のタイムゾーンが予め設定されていれば、デフォルト位置生成部１１３は、そのタイムゾーンにおける代表都市をデフォルト位置として位置情報を生成する。また、デフォルト位置は、利用者によって任意に選択された位置であってもよい。
【００３４】
データ生成部１１４は、画像処理部１５０で生成された画像ストリームと、デフォルト位置生成部１１３で生成されたデフォルト位置の位置情報を基にして、画像データ及びメタデータをそれぞれ生成する。メタデータは、画像データに関連付けられており、画像データの撮影位置に関する位置情報が書込み可能である。
【００３５】
位置情報書込み部１１５は、撮像装置１００に記憶されている画像データについて、画像データの撮影時刻を取得し、その撮影時刻に対応する位置情報を移動経路ログファイルから取得する。そして、位置情報書込み部１１５は、先に記録されたメタデータ上のデフォルト位置の位置情報を削除または上書きして、取得した位置情報を新たに記録する。
【００３６】
通信部１２０は、例えば、位置情報取得部、移動経路情報取得部の一例であり、ＧＰＳ測位装置２００に接続するための通信デバイス等で構成された通信インタフェースである。通信部１２０は、位置情報データや移動経路ログファイルをＧＰＳ測位装置２００から受信する。
【００３７】
表示部１３０はＬＣＤ等の表示手段から構成される。表示部１３０は、撮影時に被写体を逐次表示したり、記録された画像データを表示したりすることができる。また、撮像装置１００の各種設定が表示部１３０による表示を介して可能となる。
【００３８】
画像処理部１５０は、例えばＣＣＤ１６４から出力された画像データに対して、光量のゲイン補正、画像のエッジ処理（輪郭強調処理）、ホワイトバランスの調整などの処理を行う。画像処理部１５０は、撮影時に撮像処理を行い、画像ストリームを生成する。
【００３９】
撮像部１６０は、例えば、レンズ１６２と、ＣＣＤ（charge  coupled  device）１６４と、ＡＦ制御部１６６と、ＡＥ制御部１６８を有する。撮像部１６０では、レンズ１６２を通してＣＣＤ１６４上に被写体像が結像される。また、ＡＦ制御部１６６は、合焦位置を検出して、フォーカスレンズを駆動させてフォーカス制御を行う。ＡＥ制御部１６８は、ＣＣＤ１６４に照射された光量などに基づいて露出制御を行う。なお、本実施形態では、撮像素子としてＣＣＤ１６４を用いているが、ＣＭＯＳ(Complementary  Metal  Oxide  Semiconductor)素子を用いてもよく、またその他のイメージセンサを用いてもよい。
【００４０】
次に、ＧＰＳ測位装置２００について説明する。ＧＰＳ測位装置２００は、ＧＰＳによって電波を受信して現在位置を測定する。本実施形態では、図１に示すように、ＧＰＳ測位装置２００と撮像装置１００が別体であり、撮像装置１００と無線によりデータの送受信をするとしたが、ＧＰＳ測位装置２００が撮像装置１００に内蔵されたり、撮像装置１００の外部に固定されたりして、有線でデータの送受信を行うとしてもよい。
【００４１】
ＧＰＳ測位装置２００は、位置情報取得装置の一例であり、ＧＰＳを用いてＧＰＳ衛星からの電波を受信して現在位置を取得する。ＧＰＳ測位装置２００は、例えば、ＲＯＭ（Read  Only  Memory）２０２と、ＲＡＭ（Random  Access  Memory）２０４と、記憶部２０６と、制御部２１０と、通信部２２２と、ＧＰＳ通信部２２４と、表示部２３０と、アドレス・データパス処理部２４０を有する。アドレス・データパス処理部２４０は、ＣＰＵバスなどから構成され、上記の各構成要素を相互に接続する。
【００４２】
ＲＯＭ２０２は、制御部２１０が使用するプログラムや演算パラメータ等を記憶する。ＲＡＭ２０４は、制御部２１０の実行において使用するプログラムや、その実行において適宜変化するパラメータ等を一次的に記憶する。
【００４３】
記憶部２０６は、データ格納用の装置であり、記憶媒体と、記憶媒体にデータを記録する記録装置と、記憶媒体からデータを読み出す読出し装置と、記憶媒体に記録されたデータを削除する削除装置などを含むことができる。記憶部２０６は、例えば、フラッシュメモリ、ＨＤＤ（Hard  Disk  Drive）などである。記憶部２０６は、記憶媒体を駆動し、制御部２１０が実行するプログラムや各種データを格納する。また、記憶部２０６には、ＧＰＳ通信部２２４で取得された位置情報データなどが記憶される。なお、記憶部２０６は、ＧＰＳ測位装置２００と着脱可能であってもよい。
【００４４】
制御部２１０は、例えば、ＣＰＵ（Central  Processing  Unit）などのマイクロプロセッサであり、演算処理装置および制御装置として機能し、各種プログラムに従ってＧＰＳ測位装置２００内の動作全般を制御する。
【００４５】
通信部２２２は、撮像装置１００に接続するための通信デバイス等で構成された通信インタフェースである。通信部２２２は、位置情報データを撮像装置１００に送信する。
【００４６】
ＧＰＳ通信部２２４は、ＧＰＳ衛星から電波を受信して位置情報を取得する。位置情報とは、例えば、現在位置の緯度、経度、高度などである。
【００４７】
表示部２３０はＬＣＤ等の表示手段から構成される。表示部２３０は、例えば、ＧＰＳ通信部２２４を介して取得された位置情報データを表示する。また、ＧＰＳ測位装置２００の各種設定が表示部２３０による表示を介して可能となる。
【００４８】
（第１の実施形態の動作）
次に、本発明の第１の実施形態に係る撮像装置１００の動作について説明する。図３は、本実施形態に係る撮像装置の動作を示すフローチャートである。
【００４９】
まず、撮影処理に際して、撮像装置１００の領域確保部１１１は、記憶部１０６に画像や動画を記憶する領域とは別に移動経路ログファイルを記憶する領域を確保する（ステップＳ１０１）。領域確保部１１１は、例えば予め決定された移動経路ログファイルのデータ容量に基づいて領域を確保する。また、領域確保部１１１は、データ内容が空のファイルを作成して容量を確保してもよい。
【００５０】
次に、撮像装置１００は、撮影要求を受け付ける状態になる（ステップＳ１０２）。撮影要求は、例えばシャッターボタンが押圧されたか否かによって判断される。シャッターボタンが押圧されるまでは撮影要求状態が継続する。一方、撮影要求がされた場合は、データ書込み制限部１１２は、記憶部１０６に空き容量があるか否かを判断する（ステップＳ１０３）。データ書込み制限部１１２は、記憶部１０６の全体容量から、記憶部１０６のうち領域確保部１１１によって確保された移動経路ログファイル用領域の容量を引いて、画像データを記憶できる容量を確認する。
【００５１】
そして、データ書込み制限部１１２が画像データを記憶できると判断した場合は、撮像装置１００は撮影を行う（ステップＳ１０４）。また、画像処理部１５０は撮像処理を行い、画像ストリームを生成する。一方、データ書込み制限部１１２が、画像データを記憶できる容量がないと判断した場合は、例えば表示部１３０に画像データを記憶できない旨のエラー表示をして（ステップＳ１１１）、撮影ができないとの警告を行う。
【００５２】
次に、撮像装置１００のデフォルト位置生成部１１３は、撮影後、撮像装置１００に予め設定されている時差設定情報を読み込み、時差設定が設定されているタイムゾーン内の都市の位置情報を位置情報データベースから取得する。そしてデフォルト位置生成部１１３は、時差設定に対応する位置情報をデフォルト位置として生成する（ステップＳ１０５）。
【００５３】
次に、データ生成部１１４は、画像処理部１５０で生成された画像ストリームと、デフォルト位置生成部１１３で生成されたデフォルト位置が設定された位置情報を基にして、画像データ及びメタデータを生成する（ステップＳ１０６）。このとき、例えば、画像についてＥＸＩＦ形式の画像データを生成する場合、デフォルト位置についての位置情報は、撮影された画像に関するメタデータ、例えばＧＰＳによる位置情報が書き込まれる部分（例えば、ＧＰＳ  Ｉｎｆｏタグ）に記録される。
【００５４】
そして、データ生成部１１４で生成された画像データとメタデータは、記憶部１０６に記憶される（ステップＳ１０７）。
【００５５】
一方、ＧＰＳ測位装置２００は、撮像装置１００と共に携行されて、利用者の移動位置と時刻を記録し続け、移動経路ログを生成して記憶する。一連の撮影後、例えば、旅行後等にＧＰＳ測位装置２００が撮像装置１００と接続されて、撮像装置１００は、移動経路ログファイルを取得する（ステップＳ１０８）。撮像装置１００は、領域確保部１１１が記憶部１０６に予め確保した領域に、取得した移動経路ログファイルを記憶する（ステップＳ１０９）。
【００５６】
次に、撮像装置１００に記憶されている画像データについて、位置情報書込み部１１５は、画像データの撮影時刻を取得し、その撮影時刻に対応する位置情報を移動経路ログファイルから取得する。位置情報書込み部１１５は、先に記録されたメタデータ上のデフォルト位置についての位置情報を削除して、取得した位置情報を新たに記録する（ステップＳ１１０）。このとき、対応する時刻の位置情報が移動経路ログファイルに存在しないとき、画像データの位置情報はデフォルト位置のままとしてもよいし、移動経路ログファイルに記録された時刻に近い時刻を有する位置情報を画像データの位置情報として記録してもよい。
【００５７】
本実施形態によれば、位置情報を後処理として記録する静止画や動画について、メタデータ（ヘッダなど）に予め位置情報が記録可能な領域を確保しておくだけでなく、その領域にデフォルトの位置情報を設定しておくことで、位置情報取得の後処理方法に関わらず、全画像データに位置情報が付与される。そのため、位置情報取得の後処理がない場合や、位置情報の取得が不可能であった場合にも、予め画像データにはデフォルト位置が記録されている。
【００５８】
その結果、例えば、地図アプリケーションソフトなどに画像データや位置情報が読み込まれる際、アプリケーションの仕様に依存することなく、全ての画像が位置情報付きコンテンツとして扱われる。例えば、画像データに位置情報を設定し忘れていた場合は、地図アプリケーションに画像データを読み込ませると、デフォルト位置に画像が表示されることとなるため、利用者は、画像データに位置情報がないことを認識することができる。一方、位置情報がなんら記録されていない場合に、従来どおり地図アプリケーションに画像を読み込ませると、画像が地図上に全く表示されないため、利用者は、アプリケーションが正常動作をしていないと認識する可能性がある。しかし、本実施形態によれば、アプリケーションの動作上の問題であるか、画像データに位置情報の記録がないのかを迅速に認識できる。
【００５９】
更に、本実施形態によれば、領域確保部１１１が移動経路ログファイル、定義ファイルのために、予め記憶部１０６に所定の領域を確保しているため、利用者が撮像装置本体の表示を信じて、記録容量がなくなるまで撮影し続けた後でも、移動経路ログファイル、定義ファイルの取得ができる。即ち、撮影が完了した後でも、移動経路ログファイル、定義ファイルの記録のための記憶部１０６の容量が残っていることを確実に保証できる。
【００６０】
そして、画像データを地図アプリケーションに読み込ませた場合、画像データにはデフォルト位置が記録されているため、例えば緯度０度、経度０度など利用者にとって無関係な場所に画像が表示されることがなくなる。例えば、デフォルトの位置情報が時差設定情報により設定されるとしたとき、例えば日本に在住の利用者が撮影して、位置情報取得の後処理をしなかった場合でも、時差設定に対応した都市である例えば東京の位置に画像が表示（マッピング）される。その結果、利用者は位置情報の修正を容易に行うことができる。
【００６１】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６２】
例えば、上記実施形態では、位置情報取得装置はＧＰＳ測位装置２００であり、ＧＰＳ測位装置２００によって撮像装置１００に関する位置情報が取得されるとしたが、本発明はかかる例に限定されない。例えば、位置情報取得装置は、無線ＬＡＮを用いてアクセスポイントからの電測情報を得る測定技術によって、現在位置を測定してもよい。
【図面の簡単な説明】
【００６３】
【図１】本発明の第１の実施形態に係る撮像装置とＧＰＳ測位装置を示すブロック図である。
【図２】同実施形態に係る撮像装置の制御部を示すブロック図である。
【図３】同実施形態に係る撮像装置の動作を示すフローチャートである。
【符号の説明】
【００６４】
１００      撮像装置
１０２、２０２      ＲＯＭ
１０４、２０４      ＲＡＭ
１０６、２０６      記憶部
１１０、２１０      制御部
１１１      領域確保部
１１２      データ書込み制限部
１１３      デフォルト位置生成部
１１４      データ生成部
１１５      位置情報書込み部
１２０、２２２      通信部
１３０、２３０      表示部
１４０、２４０      アドレス・データパス処理部
１５０      画像処理部
１６０      撮像部
１６２      レンズ
１６４      ＣＣＤ
１６６      ＡＦ制御部
１６８      ＡＥ制御部
２００      ＧＰＳ測位装置
２２４      ＧＰＳ通信部
【図１】
2009065482.tif 000003
【図２】
2009065482.tif 000004
【図３】
2009065482.tif 000005